(57)【要約】  【課題】  鉤部を備えた汎用されている蓋体を使用し、施錠装置を備えていない既設のマンホールに、容易に取り付けることができるようにしたマンホール用の施錠装置を提供する。  【解決手段】  本発明のマンホール用の施錠装置は、回転可能な鉤部１を備えている蓋体１０を、内周面に突出した座盤２４を有する受枠体２０の開口部Ｓに閉塞した状態で施錠するマンホール用の施錠装置であって、前記受枠体２０の座盤２４に固定され、かつ、前記鉤部１を掛止する掛止部３１が設けられた取付け盤３０を備えている。前記受枠体２０の座盤２４，２４は、離隔して一対設けられ、前記取付け盤３０は、前記掛止部３１の両側に前記各座盤２４，２４と重なり合う一対の固定部３２，３２を有している。また、前記取付け盤３０の固定部３２と受け部材４０とは、前記座盤２４を挟んだ状態でボルト５１によって固定する。【選択図】  図２
2005090149.tif 000002
【特許請求の範囲】
【請求項１】
回転可能な鉤部を備えている蓋体を、内周面に突出した座盤を有する受枠体の開口部に閉塞した状態で施錠するマンホール用の施錠装置であって、
前記受枠体の座盤に固定され、かつ、前記鉤部を掛止する掛止部が設けられた取付け盤を備えていることを特徴とするマンホール用の施錠装置。
【請求項２】
前記受枠体の座盤は、離隔して一対設けられ、
前記取付け盤は、前記各座盤と重なり合う一対の固定部を前記掛止部の両側に設けたものであることを特徴とする請求項１に記載のマンホール用の施錠装置。
【請求項３】
前記受枠体の座盤を前記取付け盤の固定部とによって挟む受け部材を備え、
前記固定部と受け部材とに連続する貫通穴が形成され、該両貫通穴を貫通する締結部材によって取付け盤と受け部材とが座盤に固定されることを特徴とする請求項１または２に記載のマンホール用の施錠装置。
【請求項４】
前記受枠体の座盤には、突出片が設けられ、
前記取付け盤の固定部には、該突出片を嵌入する係合穴が形成されていることを特徴とする請求項１から３のいずれか一つに記載のマンホール用の施錠装置。
【発明の詳細な説明】
【技術分野】
【０００１】
本発明は、開口部を有する受枠体と、この受枠体の開口部を開閉自在に閉塞する蓋体とを備えているマンホールを施錠するためのマンホール用の施錠装置に関し、特に、施錠装置を備えていない既設のマンホールに容易にも対応することができるようにしたマンホール用の施錠装置に関する。
【背景技術】
【０００２】
電線やガス管、あるいは水道管などをめぐらす地下空間と地上空間との間に設置されるマンホールは、地上面に嵌め込まれる受枠体と、この受枠体の開口部を開閉自在に閉塞する蓋体とを備えている。そして、蓋体が受枠体から自由に取り外されて、地下空間内の電線などが破壊されることがないようにするため、あるいは、集中豪雨などによって地下空間内に充満した雨水などによって、蓋体が押し上げられないようにするため、蓋体が受枠体から不本意に外れないようにする施錠装置を備えたマンホールも提供されている（例えば、特許文献１参照）。
【特許文献１】特開２０００−２１２９８２号公報
【発明の開示】
【発明が解決しようとする課題】
【０００３】
既設のマンホールには、施錠装置を備えていないものも多数存在している。このようなマンホールにあっては、蓋体が受枠体から不本意に外れないようにするためには、施錠装置を備えたマンホールと交換しなければならない。しかし、マンホールを交換するには、既設のマンホールを廃棄しなければならず、不経済であるばかりか、交換作業中は、通行が長時間遮断され、交通渋滞の原因ともなる。
【０００４】
また、施錠装置を備えたマンホールは、蓋体に備えられた回転する鉤部が受枠体の内側縁部に掛止することによって施錠することができるようにされている。したがって、回転する鉤部を備えた蓋体を、既設のマンホールの受枠体にはめ込むことによって、施錠装置を備えるようにすることも考えられる。しかし、蓋体の鉤部の寸法や受枠体の内側掛止部の位置関係によって、鉤部を備えた蓋体を転用するだけで、マンホールに施錠装置を備えるようにすることはできない。
【０００５】
そこで、本発明は、汎用されている鉤部を備えた蓋体を使用し、施錠装置を備えていない既設のマンホールを交換することなく、容易に取り付けることができるようにしたマンホール用の施錠装置を提供することを課題とする。
【課題を解決するための手段】
【０００６】
本発明に係るマンホール用の施錠装置は、回転可能な鉤部を備えている蓋体を、内周面に突出した座盤を有する受枠体の開口部に閉塞した状態で施錠するマンホール用の施錠装置であって、前記受枠体の座盤に固定され、かつ、前記鉤部を掛止する掛止部が設けられた取付け盤を備えていることを特徴としている。
【０００７】
このマンホール用の施錠装置によれば、掛止部を設けた取付け盤は、受枠体の座盤に固定することによって、既設のマンホールの受枠体に容易に取り付けることができる。そして、蓋体に備えられた鉤部が回転し、鉤部が受枠体の座盤に固定される取付け盤の掛止部の下側に位置することによって施錠することができ、掛止部の下側から外れることによって開錠することができる。
【０００８】
また、前記マンホール用の施錠装置において、前記受枠体の座盤は、離隔して一対設けられ、前記取付け盤は、前記各座盤と重なり合う一対の固定部を前記掛止部の両側に設けたものであることが好ましい。このマンホール用の施錠装置によれば、取付け盤の固定部が、受枠体の離隔した一対の座盤に固定されることにより、取付け盤を受枠体に安定した状態に取り付けることができ、また、鉤部が掛止するために必要十分な大きさの掛止部を固定部間に設けることができる。
【０００９】
また、前記マンホール用の施錠装置において、前記受枠体の座盤を前記取付け盤の固定部とによって挟む受け部材を備え、前記固定部と受け部材とに連続する貫通穴が形成され、該両貫通穴を貫通する締結部材によって取付け盤と受け部材とが座盤に固定されることが好ましい。このマンホール用の施錠装置によれば、取付け盤の固定部と受け部材とが座盤を挟み、連続する両貫通穴を締結部材が貫通し、締結することによって、取付け盤を受枠体の座盤に強固に固定することができる。なお、締結部材は、例えば、頭部が円柱状の六角穴付きのボルトと、受け部材の貫通穴に形成される雌ネジとによって構成することによって、組付け作業性を向上させ、また、取付け盤の固定部にボルトの頭部が入り込む大径部を設けることにより、ボルトの頭部が蓋体の閉塞の邪魔にならないようにすることができる。
【００１０】
また、前記マンホール用の施錠装置において、前記受枠体の座盤には、突出片が設けられ、前記取付け盤の固定部には、該突出片を嵌入する係合穴が形成されていてもよい。このマンホール用の施錠装置によれば、取付け盤の固定部に形成された係合穴に受枠体の座盤に設けられた突出片を嵌入することにより、取付け盤を固定する位置決め作業が容易となる。
【発明の効果】
【００１１】
本発明によれば、蓋体に備えられている鉤部を掛止する掛止部が取付け盤に設けられ、この取付け盤が受枠体の座盤に固定されることにより、施錠装置を備えていない既設のマンホールに施錠装置を容易に取り付けることができる。したがって、既設のマンホールを廃棄することなく、経済的に施錠装置を取り付けることができるだけでなく、取付け作業が容易であるため、通行を遮断する時間を極めて短くすることができる。そして、施錠装置のないマンホールが施錠装置を備えたマンホールに改造されることにより、蓋体が受枠体から不本意に外れることがなく、セキュリティが高められ、また、集中豪雨などによって地下空間内に充満した雨水が地上に溢れ出ないようにすることができる。
【発明を実施するための最良の形態】
【００１２】
本発明におけるマンホール用の施錠装置の一実施形態について、図１から図６を参照しながら説明する。このマンホール用の施錠装置は、鉤部１を備えている円盤状の蓋体１０によって閉塞される既設の円環状の受枠体２０に容易に取り付けることができるようにするためのもので、取付け盤３０や受け部材４０などから構成されている。
【００１３】
既設の受枠体２０は、図２ないし図４に示すように、地面側の上側枠部２１と、地中側の下側枠部２２と、地中側で下側枠部２２の外側に突出する鍔部２３とが一体に成形されている。上側枠部２１と下側枠部２２とによって囲まれた空間が開口部Ｓとされる。また、上側枠部２１は、地面側の内径が地中側の内径よりもわずかに大きく、内周面がテーパ状とされている。一方、蓋体１０は、地面側の外径が地中側の外径よりもわずかに大きく、外周面がテーパ状に形成されており、蓋体１０が受枠体２０に気密・水密に閉塞することができるようにされている。
【００１４】
そして、上側枠部２１と下側枠部２２との境界部の内周面には、複数、例えば図１に示すように、６か所に弓形の座盤２４が突出している。一対の座盤２４，２４間には下側枠部２２が設けられず、凹部２５が設けられている。また、各座盤２４の内側端縁の中心には、図４に示すように、上下方向に突出する突出片２６ａ，２６ｂが設けられている。下方向に突出した突出片２６ｂと下側枠部２２との間には、窪み部２７が形成される。さらに、各座盤２４の両端部には図１に示すように、上方向に突出する突起２８，２８が設けられている。
【００１５】
そして、一対の座盤２４，２４には、取付け盤３０が固定される。取付け盤３０は、図５に示すように、凹部２５の位置に配置される掛止部３１と、この掛止部３１の両端に設けられ、各座盤２４，２４に固定される固定部３２，３２とが一体成形されたものである。掛止部３１は、薄肉平板を山形状に成形したもので、中央部には、蓋体１０の下面に突出する係止穴１２を形成する部分が設けられていても、この部分と衝突しないようにするための凹陥部３３が形成されている。なお、図２、図３においては、係止穴１２を形成する部分は、掛止部３１に衝突しない大きさに形成されていることから、凹陥部３３は、必ずしも形成する必要はない。
【００１６】
また、各固定部３２は、厚肉部３４と薄肉部３５とから構成されている。厚肉部３４の底面は前記掛止部３１の底面と同一とされるが、厚肉部３４の上面は掛止部３１の上面よりも突出し、他方、薄肉部３５の底面は前記掛止部３１の上面と同一面とされ、薄肉部３５の上面が厚肉部３４の上面と同一面とされている。そして、両薄肉部３５，３５の外側面と掛止部３１の外側面とを結ぶラインが受枠体２０の内周面と近接するように、薄肉部３５の外周面が厚肉部３４から突出している。また、薄肉部３５と掛止部３１との間の切欠き部に前記突起２８が位置する。
【００１７】
そして、薄肉部３５には、前記座盤２４から上方向に突出した突出片２６ａを嵌入する係合穴３６が形成されている。さらに、各厚肉部３４には貫通穴３７，３７が２か所ずつ形成されている。この貫通穴３７は、上側の大径部３７ａと下側の小径部３７ｂとから構成されている。
【００１８】
そして、前記座盤２４の下側には、受け部材４０が配置される。受け部材４０は、図６に示すように、正面から見たときに、ほぼＬ字形に成形された固定板４１および側板４２と、側板４２を設けた側の固定板４１の上面に突出している係入部４３とから構成されている。前記固定板４１は、図４に示すように、前記座盤２４の下方向に突出した突出片２６ｂの下端面と当接するとともに、隙間を空けて取付け盤３０の厚肉部３４の底面と対向する。この固定板４１が厚肉部３４と対向した位置関係において、固定板４１には、厚肉部３４の一対の貫通穴３７，３７に連続する一対の貫通穴４４，４４が形成されている。この貫通穴４４には、雌ネジが形成されている。
【００１９】
そして、取付け盤３０と受け部材４０とは、座盤２４を挟んだ状態で、締結部材５０によって固定される。締結部材５０は、例えば六角穴付きのボルト５１と前記受け部材４０の固定板４１に形成された雌ネジとによって構成する。このボルト５１は六角レンチ（図示せず）によって前記雌ネジに締結することができる。そして、ボルト５１の頭部が固定部３２の大径部３７ａ内に埋め込まれることにより、ボルト５１の頭部が蓋体１０の閉塞の障害とならないようにされている。そして、受け部材４０の貫通穴４４に雌ネジが形成されていることにより、例えば、左手で受け部材４０を保持し、右手で六角レンチを持ってボルト５１を締結することができ、組付け作業性を良好にすることができる。ただし、受け部材４０の貫通穴４４に雌ネジを形成しないで、ナットによってボルト５１を締結するようにしてもよい。
【００２０】
また、受け部材４０の側板４２は、座盤２４が破損したときに、蓋体１０を支承して、蓋体１０が大きく陥没しないようにするためのもので、下側枠部２２の高さよりも若干短く形成されている。なお、受け部材４０は、側板４２を備えず、固定板４１と係入部４３とのみで構成するようにしてもよい。
【００２１】
ここで、このような取付け盤３０や受け部材４０などから構成されるマンホール用の施錠装置の組付け方法について説明する。
【００２２】
まず、一対の座盤２４，２４上に取付け盤３０の固定部３２，３２を載せる。このとき、座盤２４から上方に突出した突出片２６ａが取付け盤３０の係合穴３６内に嵌入し、取付け盤３０が位置決めされる。そして、例えば左手で受け部材４０の固定板４１の底面を支えながら受け部材４０を取付け盤３０の固定部３２の底面側に配置する。このとき、受け部材４０の係入部４３が座盤２４の窪み部２７内に入り込み、また、固定部３２に形成された貫通穴３７と固定板４１に形成された貫通穴４４とが連続する。
【００２３】
次に、この両貫通穴３７，４４内に六角穴付きのボルト５１を挿入する。ボルト５１の六角穴に六角レンチの先端部を嵌め込み、六角レンチを回すことによって、ボルト５１を固定板４１の貫通穴４４に形成された雌ネジに締結する。ボルト５１がこの雌ネジと完全に締結されると、ボルト５１の頭部が固定部３２に形成された貫通穴３７の大径部３７ａ内に完全に入り込み、取付け盤３０と受け部材４０とが座盤２４を挟んだ状態に固定され、組付け作業が完了する。
【００２４】
このようにして固定された取付け盤３０や受け部材４０の反対側の受枠体２０には、蓋体１０の周辺部を連結するコネクタガイド（図示せず）が配備されている。
【００２５】
他方、蓋体１０は、回転可能な鉤部１を備えた汎用されているものが採用される。鉤部１は図３に示すように、有底筒状の回転カム２の側方に突出した状態に設けられている。回転カム２は、カム連動ピン３の下端部に取り付けられ、カム連動ピン３が回転することによって、鉤部１の向きが転換する。カム連動ピン３は、段差付きの筒状のホルダ４内に挿入される。カム連動ピン３の下端部は、ホルダ４の下端縁から突出し、回転カム２内でナット５によって固定される。カム連動ピン３の上端面には、開閉治具を係合する凹部（図示せず）が形成されている。この上端面は、ホルダ４の上端部を覆うマグネットキャップ６によって被せられ、さらにマグネットキャップ６は隙間をあけて表面キャップ７によってカバーされている。
【００２６】
前記ホルダ４や表面キャップ７などは、蓋体１０の周辺部で表面から下方向へ突出する段差付き筒状のホルダロック部１１内に収納される。このホルダロック部１１のさらに外側の蓋体１０の表面には、フックを有する係止穴１２が設けられ、この係止穴１２は、通常、ゴム製の栓１３によって塞がれている。この栓１３によって、係止穴１２内が砂などによって詰まらず、また雨水などが溜まることがないようにされている。
【００２７】
この係止穴１２の反対側の蓋体１０の周辺部には、前記コネクタガイドを連結するコネクタが配備されている。
【００２８】
本実施形態におけるマンホール用の施錠装置およびこの施錠装置が取り付けられるマンホールは、前記のように構成され、次に、鉤部１が取付け盤３０の掛止部３１の下方に位置し、施錠した蓋体１０を受枠体２０から取り外す方法について説明する。
【００２９】
まず、蓋体１０のホルダロック部１１の上面に露出している表面キャップ７と、この表面キャップ７の裏側のマグネットキャップ６とを取り外す。そして、露出したカム連動ピン３の凹部に開閉治具の先端部を挿し込み、開閉治具を回す。すると、鉤部１が掛止部３１の下方から外れる。次に、係止穴１２を塞いでいる栓１３を外し、レバー（図示せず）の先端部を係止穴１２のフックに引っ掛け、上方に持ち上げる。すると、コネクタガイドによって、コネクタ側の蓋体１０も持ち上げられ、蓋体１０は水平姿勢で上昇する。そして、レバーを時計方向に円弧を描くように回転すると、蓋体１０が受枠体２０の上側枠部２１から完全に外れ、地下空間と地上空間とが連通する。
【００３０】
逆に、蓋体１０を閉じるときは、レバーを蓋体１０の係止穴１２のフックに引っ掛け、反時計方向に円弧を描くように回転する。蓋体１０が受枠体２０の上側枠部２１上に重なるまで移動すると、蓋体１０は、上側枠部２１内に嵌まり込む。そして、開閉治具の先端部をカム連動ピン３の凹部に嵌め込み、開閉治具を回転することにより、鉤部１を係止部の下方に位置させ、施錠する。そして、カム連動ピン３の上端部にマグネットキャップ６を被せ、さらに表面キャップ７によってホルダロック部１１の上面を塞ぐ。さらに、係止穴１２を栓１３によって塞ぐと一連の施錠作業が完了する。
【００３１】
なお、本発明は、前記の実施形態に限定することなく、特許請求の範囲に記載した技術的事項の範囲内において種々変更することができる。例えば、受枠体２０の座盤２４から上方向に突出するに突出片２６ａが設けられていないときは、取付け盤３０に係合穴３６を形成しなくてもよい。また、取付け盤３０は、例えば取付け盤３０の上面と座盤２４の底面とを挟むコ字形の保持具によって座盤２４に固定するようにしてもよい。さらに、マンホールは、円形に限定するものではなく、四角形であっても同様に実施することができる。
【図面の簡単な説明】
【００３２】
【図１】本発明におけるマンホール用の施錠装置の一実施形態を示す平面図
【図２】本発明におけるマンホール用の施錠装置の一実施形態を示す正面断面図
【図３】本発明におけるマンホール用の施錠装置の一実施形態であって、図１のＸ−Ｘ線断面部分を拡大した正面断面図
【図４】本発明におけるマンホール用の施錠装置の一実施形態であって、図１のＹ−Ｙ線断面部分を拡大した正面断面図
【図５】本発明におけるマンホール用の施錠装置を構成している取付け盤であって、（ａ）は平面図、（ｂ）は正面図、（ｃ）は底面図、（ｄ）はＡ−Ａ線断面図、（ｅ）は、Ｂ−Ｂ線断面図
【図６】本発明におけるマンホール用の施錠装置を構成している受け部材であって、（ａ）は平面図、（ｂ）は正面図、（ｃ）は底面図、
【符号の説明】
【００３３】
１……鉤部
１０……蓋体
２０……受枠体
２４……座盤
２６ａ…突出片
３０……取付け盤
３１……掛止部
３２……固定部
３６……係合穴
３７……貫通穴
４０……受け部材
４４……貫通穴
５０……締結部材
Ｓ……開口部
【図１】
2005090149.tif 000003
【図２】
2005090149.tif 000004
【図３】
2005090149.tif 000005
【図４】
2005090149.tif 000006
【図５】
2005090149.tif 000007
【図６】
2005090149.tif 000008